(57)【要約】      （修正有）【課題】便尿器に使用する液体袋であって、漏れ出すことのない二重のチャック機構を有する液体袋を提供する。【解決手段】二重のチャック機構の液体袋であって、袋体１を含み、袋体１の上端は、第一のチャック機構１１と第二のチャック機構１２を設け、第一のチャック機構１１は、第二のチャック機構１２の上方に位置する。二重のチャック機構を設け、便尿器を使って排尿後、第一のチャック機構１１を閉める。二重のチャック機構の間に、尿が残っていた場合、第二のチャック機構１２を閉める。それによって、手が尿に触れずに、しかもチャック機構をしっかり閉めることで、袋内にある液体は、漏れ出すことがない。【選択図】図１
0003200753.tif 000002
【実用新案登録請求の範囲】
【請求項１】
二重ジップロックの液体袋に関し、それは、袋体１を含み、前記袋体の上端は、第一ジップロック１１と第二ジップロック１２を設け、前記第一ジップロック１１は、前記第二ジップロック１２の上方に位置することを特徴とする、液体袋。
【考案の詳細な説明】
【技術分野】
【０００１】
本考案は、２つのジップロック(Ziplock  Closure)を有する液体袋に関する。
【背景技術】
【０００２】
人々は、近くにトイレがない処で、急ぎに小便する必要がある時、よく便尿器を使う。そして前記便尿器は、液体袋を同時に使用する。今までの液体袋は、すべて一つのジップロックの液体袋であって、その袋内にある液体は、漏れ出す可能性があった。
【考案の概要】
【考案が解決しようとする課題】
【０００３】
本考案の目的は、二重のジップロックの液体袋を提供し、上述した背景技術から由来する問題を解決する。
【課題を解決するための手段】
【０００４】
上述した目的を実現するために、本考案は、以下の実用新案を提供する：
二重ジップロックの液体袋であって、それは、袋体を含み、前記袋体の上端は、第一ジップロックと第二ジップロックを設け、前記第一ジップロックは、前記第二ジップロックの上方に位置する。
【０００５】
従来技術と比較すれば、本考案の有益な効果は、その構造が簡単で、設計も合理的で、便尿器とあわせ、使用すれば、女性がいつでも立って小便することができ、おしっこを我慢する苦悩を開放する。二重ジップロックを設け、便尿器を使って小便をしたら、第一ジップロックを閉める。使用過程に、二重のジップロックの間で、おしっこが残っていた場合、第二ジップロックを閉める。それによって、手が尿に触れずに、しかもジップロックをしっかり閉めることで、袋内にある液体は、漏れ出すことがない。おしっこを我慢することで、人間の生理と心理に対してもたらした不良の影響を解決したため、心理的な圧力を排除し、特定の保健作用を本考案は備える。
【図面の簡単な説明】
【０００６】
【図１】本考案の構造を示す図である。
【図２】本考案に関わる使用状態の構造を示す図である。
【考案を実施するための形態】
【０００７】
以下は、本考案に関わる実施態様の図面とあわせて、本考案に関わる実用新案を明確で完全に説明する。明らかに、記載された実施態様は、単に本実施態様の一つの実施態様であって、すべての実施態様ではない。本考案の実施態様について、本考案に関わる技術領域の当業者が、創造的な技術的寄与をしない前提で、得られうる他のすべての実施態様は、本考案の保護範囲に属している。
【０００８】
図１〜図２を参照し、本考案は、二重ジップロックの液体袋を提供し、それは、袋体１を含み、前記袋体１の上端は、第一ジップロック１１と第二ジップロック１２を設け、前記第一ジップロック１１は、前記第二ジップロック１２の上方に位置する。
【０００９】
本考案は、便尿器２とあわせて使用する時、袋体１を前記便尿器２の下方に設け、前記第二ジップロック１２によって、しっかりと便尿器２に留める。本考案は、二重ジップロックを設け、それによって、液体が漏れ出すことを防止する機能がある。便尿器２を使って小便をしたら、まず第一ジップロック１１を閉める。使用過程に、二重のジップロックの間で、おしっこが残っていた場合、第二ジップロック１２を閉めて、それによって、手が尿に触れずに、しかもジップロックをしっかり閉めることで、袋体１にある液体は、漏れ出すことがない。前記第二ジップロック１２は、便尿器２をしっかりと留める機能を有し、使用過程中に、落ちることはない。本考案は、おしっこを我慢することで、人間の生理と心理に対してもたらした不良の影響を解決したため、心理的な圧力を排除し、特定の保健作用を備えて、この製品を使えば、いつでも、どこでもさわやかにいることが可能である。
【００１０】
本考案に関わる技術領域の当業者にとって、明らかに、本考案は、上述した例示的な実施態様に限定されるものではない。そして、本考案の精神と基本的な範囲から逸脱することのない範囲で、他の特定の形態でも本考案を実現することができる。従って、これらの点から見て、本考案の実施態様を例示とし、しかもこれに限定されるものではない。本考案の範囲は、上述した説明に限定されるのではなく本実用新案登録請求の範囲に限定される。本考案の実用新案登録請求の範囲に記載された内容と均等要件の意味及びその範囲にあるすべての変更は、本考案の範疇であるものと見なす。実用新案登録請求の範囲に記載された図面の任意の符号は、関連する実用新案登録請求を限定するものと考えるべきではない。
【００１１】
また、本明細書が、実施態様に基づいて説明されていることが理解されるべきであるが、各実施態様は、単一の実用新案のみを含むものではなく、本明細書に記載された記述の方法は、ただ明らかにすることだけを目的とし、本領域の当業者が、本明細書の全体から、それぞれの適切な組合せについて理解できる他の実施方式をも権利内に包含する。
【符号の説明】
【００１２】
１  袋体
１１  第一ジップロック
１２  第二ジップロック
２  便尿器
【図１】
0003200753.tif 000003
【図２】
0003200753.tif 000004
【手続補正書】
【提出日】平成27年8月31日(2015.8.31)
【手続補正１】
【補正対象書類名】実用新案登録請求の範囲
【補正対象項目名】全文
【補正方法】変更
【補正の内容】
【実用新案登録請求の範囲】
【請求項１】
二重のチャック機構（バッグの開放側口部の内側表面に設置され、相対する２面の内側表面同士が凸及び凹のかみ合せによって開閉可能に該口部を密閉する直線状の密閉ラインを意味する：以下、チャック機構という）が設置された液体袋に関し、それは、袋体（１）を含み、前記袋体の口部開放側の上端に、第一のチャック機構（１１）と第二のチャック機構（１２）を設け、前記第一のチャック機構（１１）は、前記第二のチャック機構（１２）の上方に位置し、袋体（１）のより口部側に位置することを特徴とする、液体袋。
【手続補正２】
【補正対象書類名】明細書
【補正対象項目名】全文
【補正方法】変更
【補正の内容】
【考案の詳細な説明】
【技術分野】
【０００１】本考案は、２つの開閉可能なチャック機構（バッグの開放側口部の内側表面に設置され、相対する２面の内側表面同士が凸及び凹のかみ合せによって開閉可能に該口部を密閉する直線状の密閉ラインを意味する：以下、チャック機構という）（登録商標のジプッロクで採用の機構等が例示される。）を有する液体袋に関する。
【背景技術】
【０００２】  人々は、近くにトイレがない処で、急ぎに小便する必要がある時、よく便尿器を使う。そして前記便尿器は、液体袋を同時に使用する。今までの液体袋は、すべて一つのチャック機構の液体袋であって、その袋内にある液体は、漏れ出す可能性があった。
【考案の概要】
【考案が解決しようとする課題】
【０００３】  本考案の目的は、二重のチャック機構を有する液体袋を提供し、上述した背景技術から由来する問題を解決する。
【課題を解決するための手段】
【０００４】  上述した目的を実現するために、本考案は、以下の実用新案を提供する：二重チャック機構を有する液体袋であって、それは、袋体を含み、前記袋体の上端は、第一のチャック機構と第二のチャック機構を設け、前記第一のチャック機構は、前記第二のチャック機構の上方であって、より口部側に位置する。【０００５】  従来技術と比較すれば、本考案の有益な効果は、その構造が簡単で、設計も合理的で、便尿器とあわせ、使用すれば、女性がいつでも立って小便することができ、おしっこを我慢する苦悩を開放する。二重のチャック機構を設け、便尿器を使って小便をしたら、第一のチャック機構を閉める。使用過程に、二重のチャック機構の間で、おしっこが残っていた場合、第二のチャック機構を閉める。それによって、手が尿に触れずに、しかもチャック機構をしっかり閉めることで、袋内にある液体は、漏れ出すことがない。おしっこを我慢することで、人間の生理と心理に対してもたらした不良の影響を解決したため、心理的な圧力を排除し、特定の保健作用を本考案は備える。
【図面の簡単な説明】
【０００６】
【図１】本考案の構造を示す図である。
【図２】本考案に関わる使用状態の構造を示す図である。
【考案を実施するための形態】
【０００７】  以下は、本考案に関わる実施態様の図面とあわせて、本考案に関わる実用新案を明確で完全に説明する。明らかに、記載された実施態様は、単に本実施態様の一つの実施態様であって、すべての実施態様ではない。本考案の実施態様について、本考案に関わる技術領域の当業者が、創造的な技術的寄与をしない前提で、得られうる他のすべての実施態様は、本考案の保護範囲に属している。
【０００８】  図１〜図２を参照し、本考案は、二重のチャック機構の液体袋を提供し、それは、袋体１を含み、前記袋体１の上端は、第一のチャック機構１１と第二のチャック機構１２を設け、前記第一のチャック機構１１は、前記第二のチャック機構１２の上方のより口部側に位置する。
【０００９】  本考案は、便尿器２とあわせて使用する時、袋体１を前記便尿器２の下方に設け、前記第二のチャック機構１２によって、しっかりと便尿器２に留める。本考案は、二重のチャック機構を設け、それによって、液体が漏れ出すことを防止する機能がある。便尿器２を使って小便をしたら、まず第一のチャック機構１１を閉める。使用過程に、二重のチャック機構の間で、おしっこが残っていた場合、第二のチャック機構１２を閉めて、それによって、手が尿に触れずに、しかもチャック機構をしっかり閉めることで、袋体１にある液体は、漏れ出すことがない。前記第二のチャック機構１２は、便尿器２をしっかりと留める機能を有し、使用過程中に、落ちることはない。本考案は、おしっこを我慢することで、人間の生理と心理に対してもたらした不良の影響を解決したため、心理的な圧力を排除し、特定の保健作用を備えて、この製品を使えば、いつでも、どこでもさわやかにいることが可能である。
【００１０】本考案に関わる技術領域の当業者にとって、明らかに、本考案は、上述した例示的な実施態様に限定されるものではない。そして、本考案の精神と基本的な範囲から逸脱することのない範囲で、他の特定の形態でも本考案を実現することができる。従って、これらの点から見て、本考案の実施態様を例示とし、しかもこれに限定されるものではない。本考案の範囲は、上述した説明に限定されるのではなく本実用新案登録請求の範囲に限定される。本考案の実用新案登録請求の範囲に記載された内容と均等要件の意味及びその範囲にあるすべての変更は、本考案の範疇であるものと見なす。実用新案登録請求の範囲に記載された図面の任意の符号は、関連する実用新案登録請求を限定するものと考えるべきではない。
【００１１】  また、本明細書が、実施態様に基づいて説明されていることが理解されるべきであるが、各実施態様は、単一の実用新案のみを含むものではなく、本明細書に記載された記述の方法は、ただ明らかにすることだけを目的とし、本領域の当業者が、本明細書の全体から、それぞれの適切な組合せについて理解できる他の実施方式をも権利内に包含する。
【符号の説明】
【００１２】１  袋体１１  第一のチャック機構１２  第二のチャック機構２  便尿器